(57)【要約】【課題】  スキャン機能と無接点充電機能を併せ持った電子機器を提供する。【解決手段】  媒体からの反射光を検出可能な光センサが配置され、所定の軸に沿って往復移動可能な光センサアレイ（光センサアレイ３００）と、対象機器（例えば携帯電話）に近接することで該対象機器に起電力を発生可能な無接点起電力発生部（コイルアレイ３１０）と、前記光センサアレイ及び前記無接点起電力発生部を同時に変位可能な駆動部（モータ３２０）と、を備えることを特徴とする電子機器を提供する。【選択図】  図３
2015146698.tif 000002
【特許請求の範囲】
【請求項１】
媒体からの反射光を検出可能な光センサが配置され、所定の軸に沿って往復移動可能な光センサアレイと、
対象機器に近接することで該対象機器に起電力を発生可能な無接点起電力発生部と、
前記光センサアレイ及び前記無接点起電力発生部を同時に変位可能な駆動部と、を備える
ことを特徴とする電子機器。
【請求項２】
前記媒体を設置可能な筐体部と、
前記筐体部の上方に設けられた天板部と、を備え、
前記光センサアレイ、前記無接点起電力発生部、及び前記駆動部がいずれも前記天板部に設けられる
ことを特徴とする請求項１に記載の電子機器。
【請求項３】
前記媒体を設置可能な筐体部と、
前記筐体部の上方に設けられた天板部と、を備え、
前記光センサアレイ及び前記駆動部が前記筐体部に設けられ、
前記無接点起電力発生部が前記天板部に設けられ、
前記駆動部が発生する動力を前記無接点起電力発生部に伝達可能な連結部を備える
ことを特徴とする請求項１に記載の電子機器。
【請求項４】
前記筐体部に勾配が設けられている
ことを特徴とする、請求項２または請求項３に記載の電子機器。
【発明の詳細な説明】
【技術分野】
【０００１】
本発明の一態様は、スキャン機能と無接点充電機能を併せ持った電子機器等に関する。
【背景技術】
【０００２】
近年、印刷機能とスキャン機能とを併せ持つ所謂プリンタ複合機が一般家庭に普及してきた。ただし、このようなプリンタ複合機は、Ａ４サイズの書類のスキャンが可能なサイズが必要であるため、一般家庭では設置面積が比較的大きくなってしまう。
【０００３】
一方で、近年、携帯電話などの端末を充電する際に、充電用ケーブルに電気的に接続することなく充電することが可能な、無接点充電が普及しつつある。ただし、携帯電話などの端末を、無接点充電を利用して充電する場合には、この端末を載置するための充電台が必要であり、この充電台はある程度の設置面積を必要とする。また、このような無接点充電の充電台には充電用のコイルが配置され、その配置方法として、コイルアレイ方式と可動アレイ方式とがある。コイルアレイ方式の充電台では、複数の充電用のコイルが充電台の全体に配置される。可動アレイ方式の充電台では、所定の面積で配置したコイルを、モータ（モーター及び可動機構）を用いて充電対象機器の真下に移動させることで、この充電対象機器の充電を実行する。
【０００４】
ところで、特許文献１には、可動ステージに充電用コイルを設ける構成について開示されている。また、特許文献２には、非接触充電機能を備えたプリンタの構成について開示されている。
【先行技術文献】
【特許文献】
【０００５】
【特許文献１】特開２０１３−０５４７０６号公報
【特許文献２】特開２００４−２６２０９１号公報
【発明の概要】
【発明が解決しようとする課題】
【０００６】
しかしながら、従来の構成では、上記のようなプリンタ複合機と無接点充電の充電台とを効果的に組み合わせる構成についての十分な検討がなされていなかった。例えば、上記特許文献２に開示された構成では、プリンタに非接触充電機能を持たせることについては考えられているものの、プリンタと非接触充電機器という観点からは、単なる組み合わせでしかなく、効果的な組み合わせであるとは言い難い状態であった。
【０００７】
また、上記従来の無接点充電の充電台においては、コイルアレイ方式の充電台では多数のコイルを必要とするため、また、可動アレイ方式ではモータが必要となるため、いずれも比較的コスト高になるという課題があった。
【課題を解決するための手段】
【０００８】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００９】
本発明の手段１は、
媒体からの反射光を検出可能な光センサが配置され、所定の軸に沿って往復移動可能な光センサアレイ（光センサアレイ３００）と、
対象機器（例えば携帯電話）に近接することで該対象機器に起電力を発生可能な無接点起電力発生部（コイルアレイ３１０）と、
前記光センサアレイ及び前記無接点起電力発生部を同時に変位可能な駆動部（モータ３２０）と、を備える
ことを特徴とする電子機器である。
【００１０】
上記の構成によれば、駆動部（モータ）が、光センサアレイと無接点起電力発生部とを同時に変位させる構成としているため、スキャン機能と無接点充電機能とを併せ持つ電子機器を比較的安価に製造することができる。また、スキャナ機器またはプリンタ複合機の天板に充電対象の携帯電話などを載置して充電することができるようになるため、スキャン機能を備える機器と無接点充電器とをそれぞれ設置する場合と比較して、設置面積を小さくすることが可能となる。
【００１１】
本発明の手段２は、
前記媒体を設置可能な筐体部（下部筐体２００）と、
前記筐体部の上方に設けられた天板部（天板１００）と、を備え、
前記光センサアレイ、前記無接点起電力発生部、及び前記駆動部がいずれも前記天板部に設けられる
ことを特徴とする手段１の電子機器である。
【００１２】
上記の構成によれば、光センサアレイ、無接点起電力発生部、及びモータがいずれも天板に設けられるため、駆動部（モータ）から光センサアレイ及び無接点起電力発生部への動力の伝達構造を容易に構成することが可能となる。
【００１３】
本発明の手段３は、
前記媒体を設置可能な筐体部（下部筐体２００）と、
前記筐体部の上方に設けられた天板部（天板１００）と、を備え、
前記光センサアレイ及び前記駆動部が前記筐体部に設けられ、
前記無接点起電力発生部が前記天板部に設けられ、
前記駆動部が発生する動力を前記無接点起電力発生部に伝達可能な連結部（連結具４１０、連結突起４２０、及びベルト歯車４３０）を備える
ことを特徴とする手段１の電子機器である。
【００１４】
上記の構成によれば、光センサアレイ及び駆動部（モータ）が筐体部に設けられるため、光センサアレイ及び駆動部を天板部に設ける構成と比較して、天板部の厚みを薄く、かつ軽くすることが可能となる。これにより、ユーザによる天板部の取り扱い負担を軽減することができる。
【００１５】
本発明の手段３は、
前記筐体部に勾配が設けられている
ことを特徴とする、手段２または手段３の電子機器である。
【００１６】
上記の構成によれば、勾配によって、天板部に載置した充電対象の携帯電話などが天板部の一端に寄せられる。これによって、充電対象機器が載置される場所を限定することができ、無接点起電力発生部に設けられるコイルアレイなどを減少させることが可能となる。ひいては、該電子機器の製造コストをさらに低減することができる。
【図面の簡単な説明】
【００１７】
【図１】プリンタ複合機の天板を閉じた状態の外観を示す図。
【図２】プリンタ複合機の天板を開いた状態の外観を示す図。
【図３】プリンタ複合機の構成の第１の具体例を示す概略図。
【図４】プリンタ複合機の構成例を示す図。
【図５】プリンタ複合機の断面の第１の具体例を示す図。
【図６】プリンタ複合機の構成の第２の具体例を示す概略図。
【図７】プリンタ複合機の断面の第２の具体例を示す図。
【図８】プリンタ複合機の断面の第３の具体例を示す図。
【図９】プリンタ複合機の断面の第４の具体例を示す図。
【図１０】プリンタ複合機の構成の第３の具体例を示す概略図。
【発明を実施するための形態】
【００１８】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態１
（１）プリンタ複合機の構成例
（２）プリンタ複合機の構成要素
（３）プリンタ複合機の動作
（４）プリンタ複合機の特徴部分
２．実施形態２
３．実施形態３
４．実施形態４
５．実施形態５
６．補足事項
【００１９】
＜１．実施形態１＞
まず、本発明の実施形態１について、図１乃至図５を参照しながら説明する。
【００２０】
＜（１）プリンタ複合機の構成例＞
図１及び図２は、本実施形態のプリンタ複合機の外観を示す図である。図１は特に、プリンタ複合機の天板を閉じた状態を示しており、図２は特に、プリンタ複合機の天板を開いた状態を示している。
【００２１】
図１及び図２に示すように、プリンタ複合機は、大きく分けて天板１００、及び下部筐体２００を含んで構成される。プリンタ複合機はさらに、天板１００と下部筐体２００とを物理的に接続しつつ天板１００を開閉可能にするための蝶番４００、及びユーザによる操作入力を受け付ける操作入力部２２０を含んで構成される。プリンタ複合機はさらに、給紙部５００、排紙部６００、インクヘッド（図示せず）など、プリンタ複合機が一般的に備える構成を備える。
【００２２】
図３は、本実施形態におけるプリンタ複合機の特徴部分のみを記載した概略図である。図３に示すように、天板１００には、光センサアレイ３００、及びコイルアレイ３１０が設けられている。下部筐体２００の上面には、媒体載置部２７０が設けられる。媒体載置部２７０は、スキャン対象の媒体としての紙などが載置可能に形成されている。媒体載置部２７０に載置された媒体に対して、光センサアレイ３００が備える光センサがその反射光を検出することで、プリンタ複合機はこの媒体の視認状態を検出する（スキャンする）ことができる。光センサアレイ３００、及びコイルアレイ３１０は、図に示した矢印方向（スキャン方向）に往復移動可能に構成されている。これらの光センサアレイ３００、及びコイルアレイ３１０を含む、プリンタ複合機の具体的な動作については後述する。
【００２３】
＜（２）プリンタ複合機の構成要素＞
図４は、プリンタ複合機の構成例をブロック図で示したものである。図４に示すように、プリンタ複合機は、ＣＰＵ２１０、操作入力部２２０、通信インタフェース２３０、表示部２４０、メモリ２５０、インクヘッド２６０、光センサアレイ３００、コイルアレイ３１０、及びモータ３２０を含んで構成される。
【００２４】
＜ＣＰＵ２１０＞
ＣＰＵ２１０は、操作入力部２２０及び通信インタフェース２３０からの入力に応答して、表示部２４０、メモリ２５０、インクヘッド２６０、光センサアレイ３００、コイルアレイ３１０、及びモータ３２０に必要な指示をし、これによって媒体への印刷、媒体のスキャン、及び対象機器の充電を実行可能に構成される。ＣＰＵ２１０は、プリンタ複合機に接続されたパソコンなどの外部機器から通信インタフェース２３０を介して入力された印刷データに基づいて、インクヘッド２６０を制御することで、媒体への印刷を実行可能である。
【００２５】
また、ＣＰＵ２１０は、操作入力部２２０が検出したユーザによるスキャン実行の指示に基づいて、光センサアレイ３００及びモータ３２０を制御することで、媒体載置部２７０に置かれた媒体をスキャン可能である。この処理によって、光センサアレイ３００からは、媒体の視認状態を示すスキャン情報が入力され、ＣＰＵ２１０は、このスキャン情報をメモリ２５０に記憶させるとともに、通信インタフェース２３０を介して外部機器に送信可能である。
【００２６】
また、ＣＰＵ２１０は、天板１００に充電対象機器が置かれたことを検知し、コイルアレイ３１０及びモータ３２０を制御することで、この充電対象機器の充電を実行可能である。天板１００に充電対象機器が置かれたことの検知は、例えば、天板１００に格子状に張り巡らされた信号線に微弱な電流を流し、この電流の変化によって、充電対象機器が置かれたこと、及び置かれた場所を検知可能に構成される。この検知結果に基づいて、ＣＰＵ２１０はコイルアレイ３１０及びモータ３２０を制御することが可能である。
【００２７】
＜操作入力部２２０＞
操作入力部２２０は、この操作入力部２２０に設けられたキー（ボタン）またはタッチパネルに対するユーザの操作を検出し、所定の信号をＣＰＵ２１０に出力可能に構成される。なお、操作入力部２２０は、キー（ボタン）またはタッチパネルに限定されるものではなく、ユーザによる操作を検出可能な構成であればよい。
【００２８】
＜通信インタフェース２３０＞
通信インタフェース２３０は、プリンタ複合機に有線または無線で接続されたパソコン、タブレット、または携帯端末などの外部機器とのデータの送受信を実行可能に構成される。通信インタフェース２３０は、これらの外部機器から受信したデータをＣＰＵ２１０に出力し、ＣＰＵ２１０から入力されたデータを、これらの外部機器に送信可能に構成される。通信インタフェース２３０が外部機器と送受信するデータは、印刷に用いられる印刷データ、スキャンまたは充電を指示する命令データ、またはプリンタ複合機の設定を変更するための設定変更データなどがある。
【００２９】
＜表示部２４０＞
表示部２４０は、ＣＰＵ２１０の指示に基づいて、該表示部２４０が備えるＬＣＤまたは有機ＥＬ表示装置に所定の表示をさせることができるよう構成される。
【００３０】
＜メモリ２５０＞
メモリ２５０は、プリンタ複合機の設定情報、通信インタフェース２３０を介して外部機器から受信した印刷データ、及び光センサアレイ３００を用いてスキャンした媒体の情報等を記憶可能に構成される。
【００３１】
＜インクヘッド２６０＞
インクヘッド２６０は、ＣＰＵ２１０からの指示に基づいて、印刷対象媒体に対して、所定の方向に走査しながらインクを吐出することで、媒体に対する印刷を実行可能に構成される。
【００３２】
＜光センサアレイ３００＞
光センサアレイ３００は、媒体載置部２７０に置かれた媒体に対して照射された光からの反射光を検出可能な光センサを備え、モータ３２０によってスキャン方向（図３参照）に往復移動可能に構成される。光センサアレイ３００には、媒体に対して光を照射可能な発光部が設けられている。光センサアレイ３００は、検出した媒体からの反射光によって媒体の視認状態を検出し、検出した情報をスキャン情報としてＣＰＵ２１０に出力可能に構成される。光センサアレイ３００が備える光センサは、ＣＩＳセンサ、またはＣＣＤセンサであるが、それ以外の光センサであってもよい。
【００３３】
＜コイルアレイ３１０＞
コイルアレイ３１０は、複数のコイルを備えており、これらのコイルに電流が流れることによって発生する磁界によって、天板１００に置かれた充電対象機器に対して、電磁誘導による起電力を発生可能に構成される。コイルアレイ３１０は、ＣＰＵ２１０から入力される制御信号に基づいて、これらの複数のコイルに流れる電流の量を調整する制御回路を備えている。
【００３４】
コイルアレイ３１０は、その流れる電流の量を調整することによってコイルから発せられる磁界を変動可能であり、この磁界によって充電対象媒体とのやり取りが可能となる。コイルアレイ３１０は、それぞれのコイルに発生する磁界の変化によって、充電対象機器の状態を検出し、または受電対象機器から送信される情報を受信し、これらの検出結果及び受信結果をＣＰＵ２１０に対して出力可能に構成される。
【００３５】
また、コイルアレイ３１０は、モータ３２０によって天板１００の中でスキャン方向に移動させられる。本実施形態において、コイルアレイ３１０は光センサアレイ３００と一体に形成されており、コイルアレイ３１０と光センサアレイとは、モータ３２０によって同時に移動させられる。
【００３６】
＜モータ３２０＞
モータ３２０は、ＣＰＵ２１０からの指示に基づいて、光センサアレイ３００及びコイルアレイ３１０を、天板１００の範囲で、スキャン方向（図３の矢印方向）に往復移動するよう駆動可能に構成される。
【００３７】
図５は、プリンタ複合機の断面の具体例を示す図である。この断面図は、図３に示したスキャン方向を示す矢印に対して垂直に見たときの断面を示している。図５に示すように、下部筐体２００と天板１００とは蝶番４００を介して接続されている。天板１００の中には、光センサアレイ３００及びコイルアレイ３１０が設置されている。天板１００の中で、光センサアレイ３００は下部筐体２００に近い位置に配置され、コイルアレイ３１０は天板１００の天面に近い位置に配置される。
【００３８】
＜（３）プリンタ複合機の動作＞
ここで、プリンタ複合機の動作について具体的に説明する。なお、プリンタ複合機は一般的なプリンタと同様の印刷の実行が可能であるが、本発明の特徴部分ではないため、ここではその説明を省略する。以下の説明では、光センサアレイ３００を用いたスキャン処理の実行、及びコイルアレイ３１０を用いた充電処理の実行について説明する。
【００３９】
まず、スキャン処理について説明する。ＣＰＵ２１０が、ユーザによる操作入力部２２０に対するスキャン実行を示す操作入力を検出したら、ＣＰＵ２１０は、光センサアレイ３００及びモータ３２０に対してスキャン実行の指示を出す。具体的には、ＣＰＵ２１０は、モータ３２０に対して、天板１００の一端から他端に対して、光センサアレイ３００をスキャン方向に移動させるよう指示する。また、ＣＰＵ２１０は、光センサアレイ３００に対して、このモータ３２０による移動に同期して、媒体載置部２７０に置かれた媒体に対して光を照射し、スキャン対象媒体からの反射光の検出を実行するよう指示する。
【００４０】
モータ３２０は、上記のＣＰＵ２１０からの指示に基づいて、天板１００の一端から他端へ、スキャン方向に光センサアレイ３００を移動させる。光センサアレイ３００は、同じく上記ＣＰＵ２１０からの指示に基づいて、スキャン対象の媒体に対して光を照射し、媒体からの反射光の検出を実行する。光センサアレイ３００は、検出された媒体の状態を示すスキャン情報をＣＰＵ２１０に出力する。
【００４１】
ＣＰＵ２１０は、光センサアレイ３００から入力されたスキャン情報をメモリ２５０に逐次記憶させる。媒体のスキャンが終了して、この媒体に関するすべてのスキャン情報が集まったら、ＣＰＵ２１０は、通信インタフェース２３０を介して、このスキャン情報を外部機器に対して出力する。なお、ＣＰＵ２１０は、このスキャン情報をメモリーカードのような媒体に記憶させるような処理をしてもよい。この場合、ユーザはこのメモリーカードからスキャン情報を取り出すことができる。
【００４２】
以上の処理によって、プリンタ複合機は媒体載置部２７０に置かれた媒体のスキャン処理を完了する。
【００４３】
次に、充電処理について説明する。ユーザが天板１００に充電対象機器の携帯電話等を載せると、天板１００は、その中に配置された信号線に生じる電流の変化によって、充電対象機器が置かれたこととその位置を特定可能な情報をＣＰＵ２１０に出力する。ＣＰＵ２１０は、この情報に基づいて、モータ３２０に対して、天板１００が示す場所にコイルアレイ３１０を移動させるよう制御する信号を出力する。
【００４４】
モータ３２０は、このＣＰＵ２１０からの指示に基づいて、充電対象機器の下部にコイルアレイ３１０を移動させる。コイルアレイ３１０が充電対象機器の下部に移動完了したら、モータ３２０は移動が完了した旨の信号をＣＰＵ２１０に出力する。モータ３２０から、コイルアレイ３１０の移動が完了した旨の信号を受け取ったＣＰＵ２１０は、コイルアレイ３１０に対して、充電を実行するために必要な電流を流すよう制御を行う。これによって、コイルアレイ３１０が備える各コイルには充電対象機器を充電するのに必要な電流が流れ始める。
【００４５】
以上の処理によって、プリンタ複合機は天板１００に置かれた充電対象機器の充電を実行する。
【００４６】
＜（４）プリンタ複合機の特徴部分＞
上記の構成のプリンタ複合機によれば、モータ３２０（駆動部）が、光センサアレイ３００とコイルアレイ３１０（無接点起電力発生部）とを同時に変位可能な構成としている。そのため、上記構成では、光センサアレイ３００とコイルアレイ３１０とのそれぞれの移動に個別のモータ（駆動部）を必要とせず、これによってスキャン機能と無接点充電機能とを併せ持つ電子機器を比較的安価に製造することができる。また、プリンタ複合機の天板１００に充電対象機器を載置して充電することができるようになるため、スキャン機能を備える機器と無接点充電器とをそれぞれ設置する場合と比較して、設置面積を小さくすることが可能となる。
【００４７】
また、上記の構成のプリンタ複合機によれば、光センサアレイ３００、コイルアレイ３１０（無接点起電力発生部）、及びモータ３２０がいずれも天板１００の内部に設けられる。これによって、モータ３２０から光センサアレイ３００及びコイルアレイ３１０（無接点起電力発生部）への動力の伝達構造を容易に構成することが可能となる。
【００４８】
＜２．実施形態２＞
次に、本発明の実施形態２について、図６及び図７を参照しながら説明する。実施形態１と比較して、本実施形態では、光センサアレイ３００及びモータ３２０が下部筐体２００に設けられ、コイルアレイ３１０（無接点起電力発生部）が天板１００に設けられている点で異なる。また、この相違点によって、プリンタ複合機が、モータ３２０によって発生された動力をコイルアレイ３１０に伝達するための機構としての連結具４１０を備える点で異なる。以下の説明では、実施形態１との相違点を中心に説明を行い、実施形態１と同様の内容についてはその説明を省略する。
【００４９】
図６は、本実施形態のプリンタ複合機の特徴部分を記載した概略図である。図６に示すように、天板１００には、コイルアレイ３１０が設けられている。下部筐体２００には、媒体載置部２７０及び光センサアレイ３００が設けられている。媒体載置部２７０は、その表面が透明なガラスまたはプラスチックになっており、この透明なガラスまたはプラスチックの下側に、光センサアレイ３００が配置される。コイルアレイ３１０及び光センサアレイ３００は、それぞれ天板１００及び下部筐体２００に記載された矢印方向（スキャン方向）に沿って、モータ３２０によって移動可能に構成されている。
【００５０】
図７は、本実施形態のプリンタ複合機の断面の具体例を示す図である。この断面図は、図６に示したスキャン方向を示す矢印に対して垂直に見たときの断面を示している。図７に示すように、下部筐体２００と天板１００とは蝶番４００を介して接続されている。天板１００の内部にはコイルアレイ３１０が、下部筐体２００の内部には光センサアレイ３００が、それぞれ設置される。
【００５１】
蝶番４００の近傍には、コイルアレイ３１０と光センサアレイ３００とを物理的に接続する連結具４１０が設けられている。連結具４１０は、モータ３２０が発生した動力をコイルアレイ３１０に伝達可能に構成されている。連結具４１０は、モータ３２０から直接動力を受けてコイルアレイ３１０を移動させてもよいし、モータ３２０から光センサアレイ３００を介して受けた動力によってコイルアレイ３１０を移動させてもよい。
【００５２】
上記構成のプリンタ複合機によれば、光センサアレイ３００及びモータ３２０が下部筐体２００に設けられるため、光センサアレイ３００及びモータ３２０を天板１００に設ける構成と比較して、天板１００の厚みを薄くすることが可能となる。これにより、ユーザによる天板１００の取り扱い負担を軽減することができる。
【００５３】
なお、上記構成ではモータ３２０が下部筐体２００の内部に配置される例について説明したが、モータ３２０は天板１００の内部に配置されることも可能である。ただし、モータ３２０を天板１００の内部に配置すると、光センサアレイ３００を下部筐体２００に設けたことによる天板１００の厚み及び重量の軽減は可能であるが、モータ３２０を下部筐体２００の内部に配置する場合と比較して天板１００の厚み及び重量が増すこととなる。よって、モータ３２０は下部筐体２００の内部に配置する構成がより好ましい。
【００５４】
さらに、本実施形態では、上記のとおり連結具４１０を設けていることによって、以下の連結突起４２０を設ける形態と比較して、構造が単純であるため、製造及びメンテナンスが容易であるという特徴がある。また、連結具４１０を用いる上記構成では、
【００５５】
＜３．実施形態３＞
次に、本発明の実施形態３について、図８を参照しながら説明する。実施形態２と比較して、本実施形態では、プリンタ複合機が、連結具４１０に代えて連結突起４２０を備える点で異なる。以下の説明では、実施形態２との相違点を中心に説明を行い、実施形態１または実施形態２と同様の内容についてはその説明を省略する。
【００５６】
図８（ａ）及び図８（ｂ）は、本実施形態のプリンタ複合機の断面の具体例を示す図である。図８（ａ）の断面図は、図６に示したスキャン方向を示す矢印に対して垂直に、プリンタ複合機の側面から見たときの断面を示し、図８（ｂ）の断面図は、図６に示したスキャン方向を示す矢印に対して平行に、プリンタ複合機の正面から見た時の断面を示している。図８（ａ）及び図８（ｂ）に示すように、下部筐体２００と天板１００とは、連結突起４２０を介して、一方の動力を他方に伝達可能に構成されている。連結突起４２０は、天板１００の、蝶番４００が設けられた端部とは逆の端部付近に設けられており、天板１００を閉じた状態で、下部筐体２００に設けられた溝部の、光センサアレイ３００に設けられた孔部である連結孔に挿入されるよう形成されている。天板１００が閉じられた状態でモータ３２０が光センサアレイ３００を移動させると、この連結突起４２０を介して、モータ３２０によって発生された動力がコイルアレイ３１０に伝達される。
【００５７】
上記構成のプリンタ複合機によれば、実施形態２と同様に、光センサアレイ３００及びモータ３２０が下部筐体２００に設けられるため、光センサアレイ３００及びモータ３２０を天板１００に設ける構成と比較して、天板１００の厚みを薄くすることが可能となる。これにより、ユーザによる天板１００の取り扱い負担を軽減することができる。
【００５８】
さらに、上記の連結突起４２０を備えるプリンタ複合機によれば、光センサアレイ３００とコイルアレイ３１０との連結に屈曲部を必要としないため、耐久性を高めることが可能となる。
【００５９】
なお、上記構成では、連結突起４２０が天板１００に設けられる構成について説明したが、連結突起４２０は下部筐体２００に設けられてもよい。このとき、天板１００には、上記構成では下部筐体２００に設けられていた溝部及び連結孔が設けられる。
【００６０】
＜４．実施形態４＞
次に、本発明の実施形態４について、図９を参照しながら説明する。実施形態３と比較して、本実施形態では、プリンタ複合機が、ベルト歯車４３０をさらに備える点で異なる。以下の説明では、実施形態３との相違点を中心に説明を行い、実施形態１、実施形態２、または実施形態３と同様の内容についてはその説明を省略する。
【００６１】
図９（ａ）及び図９（ｂ）は、本実施形態のプリンタ複合機の断面の具体例を示す図である。図９（ａ）の断面図は、図６に示したスキャン方向を示す矢印に対して垂直に、プリンタ複合機の側面から見たときの断面を示し、図９（ｂ）の断面図は、図６に示したスキャン方向を示す矢印に対して平行に、プリンタ複合機の正面から見た時の断面を示している。図９（ａ）及び図９（ｂ）に示すように、下部筐体２００と天板１００とは、連結突起４２０とベルト歯車４３０を介して、光センサアレイ３００及びコイルアレイ３１０の一方に与えられた動力を、他方に伝達可能に構成されている。連結突起４２０は、天板１００の、蝶番４００が設けられた端部とは逆の端部付近に設けられており、天板１００を閉じた状態で、下部筐体２００に設けられた溝部に配置されたベルト歯車４３０に複数設けられた孔部に挿入されるよう形成されている。ベルト歯車４３０には、光センサアレイ３００が結合して設置されている。モータ３２０が発生した動力は、ベルト歯車４３０を介して光センサアレイ３００を移動可能に構成されている。つまり、天板１００が閉じられた状態で、モータ３２０がベルト歯車４３０を動作させると、ベルト歯車４３０と結合して設置された光センサアレイ３００と、連結突起４２０を介して動力が伝達されたコイルアレイ３１０とが、同時に移動させられる。
【００６２】
上記構成のプリンタ複合機によれば、実施形態２または実施形態３と同様に、光センサアレイ３００及びモータ３２０が下部筐体２００に設けられるため、光センサアレイ３００及びモータ３２０を天板１００に設ける構成と比較して、天板１００の厚みを薄くすることが可能となる。これにより、ユーザによる天板１００の取り扱い負担を軽減することができる。
【００６３】
さらに、上記のベルト歯車４３０を備えるプリンタ複合機では、ユーザが天板１００を開いた際に連結突起４２０に触れてその位置がずれた場合であっても、ベルト歯車４３０を備えることによって、光センサアレイ３００とコイルアレイ３１０とが容易に噛み合うようにすることができる。
【００６４】
＜５．実施形態５＞
次に、本発明の実施形態５について、図１０を参照しながら説明する。実施形態１と比較して、本実施形態では、媒体載置部２７０が勾配を持っている点で異なっている。以下、この相違点について具体的に説明する。
【００６５】
図１０は、本実施形態のプリンタ複合機の概略図である。図１０に示すように、プリンタ複合機の媒体載置部２７０は、プリンタ複合機の蝶番４００付近の端部（奥側）からその反対の端部（手前側）に向けて、徐々に高さが低くなるような勾配を備えて形成されている。天板１００の、蝶番４００とは反対側の端部には、ストッパ４４０が形成されている。この勾配は、天板１００に置かれた充電対象機器が、プリンタ複合機の手前側である、蝶番４００とは反対の端部側にずれ落ちてくるように形成されており、ずれ落ちてきた充電対象機器はストッパ４４０によって落下が防止される。
【００６６】
本実施形態のコイルアレイ３１０は、奥側部分にはコイルが形成されておらず、手前側部分にのみコイルが形成されている。これは、上記の勾配によって、充電対象機器は手前側に寄せられるようになるため、奥側には充電用のコイルを配置する必要がないためである。
【００６７】
なお、載置部２７０の蝶番４００とは反対の端部（手前側）には、載置部２７０に載置した紙などの媒体が載置部２７０からずれ落ちることを防止するストッパを設けてもよい。
【００６８】
上記構成のプリンタ複合機によれば、媒体載置部２７０に設けられた勾配によって、天板１００に載置した充電対象機器が天板１００の手前側の端部に寄せられる。これによって、充電対象機器が載置される場所を限定することができ、コイルアレイ３１０に設けられるコイルの数を減少させることが可能となる。ひいては、プリンタ複合機の製造コストをさらに低減することができる。特に、スマートフォンまたはタブレット機器等を充電する際には、媒体載置部２７０に設けられた勾配によって、ユーザがこのタブレット機器等を視認するのに適した角度にすることができるため、充電中であってもコンテンツの視聴などを行いやすくすることができる。
【００６９】
＜６．補足事項＞
以上、本発明の各実施形態についての具体的な説明を行った。上記説明は、あくまで一実施形態としての説明であって、本発明の範囲はこの一実施形態に留まらず、当業者が把握可能な範囲にまで広く解釈されるものである。
【００７０】
まず、上記実施形態はそれぞれ組み合わせて実施することが可能である。すなわち、実施形態５で説明した媒体載置部２７０が勾配を備える構造を、実施形態２乃至実施形態４の構造と組み合わせることなどが可能である。
【００７１】
また、ＣＰＵ２１０における、載置部２７０に充電対象機器が置かれたことの検知は、上記記載とは別の方法で行ってもよい。例えば、天板１００が重さセンサなどを備えてもよい。
【００７２】
また、実施形態２乃至実施形態４では、モータ３２０の動力を伝達する具体例を挙げているが、これらの構成に限定されるものではなく、モータ３２０が光センサアレイ３００及びコイルアレイ３１０を同時に変位可能な構成であればよい
【００７３】
また、上記実施形態では、コイルアレイ３１０を備える構成について説明したが、無接点起電力発生部として機能するコイルは必ずしもアレイ状に複数のコイルが設けられる必要はなく、１つのコイルであってもよい。この場合は、プリンタ複合機は、１つのコイルを、上面から見てスキャン方向と直行する方向に移動させることが可能なモータをさらに設ける。そして、ＣＰＵ２１０は、充電対象機器が置かれた場所の下にコイルを移動させるよう、このモータを制御する。このように、無接点起電力発生部として１つのコイルを用いれば、コイルを削減することが可能となる。
【００７４】
また、上記実施形態では、プリンタ複合機を例に挙げて説明しているが、必ずしも印刷機能を備える必要はなく、印刷機器を持たないスキャナ機器に置き換えてもよい。また、スキャン機能と他の機能を備える電子機器に置き換えてもよい。
【産業上の利用可能性】
【００７５】
本発明は、スキャン機能を備える電子機器またはプリンタ複合機などに好適に適用される。
【符号の説明】
【００７６】
１００…天板
２００…下部筐体
２１０…ＣＰＵ
２２０…操作入力部
２３０…通信インタフェース
２４０…表示部
２５０…メモリ
２６０…インクヘッド
２７０…媒体載置部
３００…光センサアレイ
３１０…コイルアレイ
３２０…モータ
４００…蝶番
４１０…連結具
４２０…連結突起
４３０…ベルト歯車
４４０…ストッパ
５００…給紙部
６００…排紙部
【図１】
2015146698.tif 000003
【図２】
2015146698.tif 000004
【図３】
2015146698.tif 000005
【図４】
2015146698.tif 000006
【図５】
2015146698.tif 000007
【図６】
2015146698.tif 000008
【図７】
2015146698.tif 000009
【図８】
2015146698.tif 000010
【図９】
2015146698.tif 000011
【図１０】
2015146698.tif 000012